(57)【要約】  装置（１００）は、電波信号を送信する及び／又は受信するためのアンテナと、装置をしっかり留めるために働く帯環（１０４）とを備える。アンテナは、アンテナループ（２００）と、一緒に束ねられたアンテナの集合体（３０２）とを備える。アンテナループは、導電プレート（１０６）と、電子回路（４００）を収容すると共に少なくとも１つの導電面（２０２）を示すケーシング（１０８）とを含み、ここで該導電面（２０２）は、導電プレート（１０６）に向かい合って平行に延在する。導電プレート（１０６）及びケーシングの導電面（２０２）は、ケーシングの導電面（２０２）の一方の側で一緒に電気的に接続され（２０４）、且つ、他方の側（１１０）で電子回路（４００）と電気的に接続される。アンテナの集合体（３０２）は、帯環（１０４）の少なくとも１つの導電部分（３０２）を備え、ここで導電部分（３０２）は、導電プレート（１０６）と容量的に結合している。つながっているウォッチへの応用、及び動物用の地理的位置付け首輪への応用である。【選択図】図３
2019532565.tif 000002
【特許請求の範囲】
【請求項１】
電波通信のための装置（１００）であって、
該装置（１００）は、電子回路（４００）と、アクセスネットワークとの無線通信を目的とした電波信号の発信及び／又は受信のためのアンテナと、前記装置の留め具として働く帯環（１０４）とを備える、装置（１００）において、
前記アンテナはアンテナループ（２００）を備え、前記アンテナループは、導電プレート（１０６）と、前記電子回路（４００）を収容すると共に少なくとも１つの導電面（２０２）を有するケース（１０８）とを含み、前記アンテナループの前記導電プレート（１０６）は、前記ケースの前記導電面（２０２）に平行に、且つ前記導電面（２０２）に向かい合って延在し、前記導電プレート（１０６）及び前記ケースの前記導電面（２０２）は、前記ケースの前記導電面（２０２）の一方の側で一緒に電気的に接続され（２０４）、且つ、前記導電面（２０２）の他方の側で前記電子回路（４００）に電気的に接続され（１１０）、且つ、前記帯環（１０４）は、前記アンテナのアンテナ接地部（３０２）を形成する導電部分（３０２）を備え、前記導電部分は、前記導電プレートに平行に、且つ前記導電プレート（１０６）に向かい合って延在し、且つ、前記導電プレート（１０６）から電気的に絶縁され、その結果として、前記導電部分（３０２）は、前記導電プレート（１０６）に容量的に結合されることを特徴とする、装置（１００）。
【請求項２】
請求項１に記載の装置（１００）であって、
前記電子回路（４００）は、前記アンテナによって受信される電波信号及び／又は前記アンテナによって発信されるべき電波信号の処理及び／又は生成のための無線モジュール（４０４）と、前記無線モジュールと前記アンテナとの間のインピーダンス整合のためのモジュール（Ｃｓ，Ｃｐ）とを備えることを特徴とする、装置（１００）。
【請求項３】
請求項２に記載の装置（１００）であって、
前記インピーダンス整合モジュール（Ｃｓ，Ｃｐ）は、前記アンテナと前記無線モジュールとの間に直列に入る第１の容量性部品（Ｃｓ）と、前記アンテナと前記無線モジュールの接地部との間にある第２の容量性部品（Ｃｐ）とを備えることを特徴とする、装置（１００）。
【請求項４】
請求項１から請求項３のいずれか一項に記載の装置（１００）であって、
前記アンテナループの前記導電プレート（１０６）は、前記ケース（１０８）に、及び前記帯環の前記導電部分（３０２）に機械的に強固に接続されることを特徴とする、装置（１００）。
【請求項５】
請求項４に記載の装置（１００）であって、
前記アンテナループの前記導電プレート（１０６）は、電気的に絶縁性のスペーサ（３０６）上に取り付けられることを特徴とする、装置（１００）。
【請求項６】
請求項５に記載の装置（１００）であって、
前記絶縁性のスペーサ（３０６）は、前記ケース（１０８）が取り付けられる支持体の一部であることを特徴とする、装置（１００）。
【請求項７】
請求項６に記載の装置（１００）であって、
前記支持体は、前記帯環（１０４）上に取り外し可能に取り付けられ、且つ、磁石を備え、該磁石は、前記帯環の前記導電部分（３０２）との磁気引力によって、前記帯環上に前記支持体を維持するように適合されることを特徴とする、装置（１００）。
【請求項８】
請求項１から請求項７のいずれか一項に記載の装置（１００）であって、
前記アンテナループの前記ケースの前記導電面（２０２）は、前記電子回路の接地部に電気的に接続され、且つ前記導電プレート（１０６）は、前記ケースの一方の側で、前記電子回路の出力線及び／又は入力線に電気的に接続されることを特徴とする、装置（１００）。
【請求項９】
請求項１から請求項８のいずれか一項に記載の装置（１００）であって、
前記帯環（１０４）の前記導電部分（３０２）は、前記帯環の長さの全部又は一部にわたって、前記アンテナループの前記導電プレート（１０６）及び前記ケース（２０２）の前記導電面を越えて延在することを特徴とする、装置（１００）。
【請求項１０】
請求項１から請求項９のいずれか一項に記載の装置（１００）であって、
前記装置は、前記ケースの前記導電面（２０２）と反対側の表面（３００）上にディスプレイを備え、前記電子回路（４００）は、スマートウォッチの機能を有し、且つ前記帯環（１０４）は、人間の手首（１０２）に前記装置を取り付けるように適合された腕輪であることを特徴とする、装置（１００）。
【請求項１１】
請求項１から請求項９のいずれか一項に記載の装置（１００）であって、
前記電子回路（４００）は、地理的位置付けの機能（４０８）、及びアクセスネットワークに対して地理的位置付けデータを発信する機能を有し、且つ前記帯環（１０４）は、首に前記装置を取り付けるように適合された首輪であることを特徴とする、装置（１００）。
【発明の詳細な説明】
【技術分野】
【０００１】
本発明は、電波遠距離通信の分野に属し、且つ、特に、電子回路と、アクセスネットワークとの無線通信を目的とした電波信号の発信及び／又は受信のためのアンテナと、装置の留め具として働く帯環とを備える装置に関する。
【背景技術】
【０００２】
本発明は、決して限定するものではないが、スマートウォッチタイプの装置の事例において特に有利な用途を有し、そこでは、帯環（ｓｔｒａｐ）は腕輪であり、該腕輪は、手首に対して該装置のための留め具として働く。そのようなスマートウォッチは、３ＧＨｚよりも低い周波数帯域において、又はそれ以上の周波数帯域において電波リンクを介して通信できるが、このような通信は、例えば、遠距離通信機能（２Ｇ、３Ｇ、４Ｇ、及びその他）、ブルートゥース（登録商標）を介したデータの交換、シグフォックス（Ｓｉｇｆｏｘ）ネットワーク若しくは「ＷｉＦｉ」ネットワークのようなマシン間の通信（モノのインターネット）、又は、「ＧＰＳ」システム若しくは「ＧＡＬＩＬＥＯ」システムのような衛星を介した位置決めの機能、のいずれかを目的としたものである。
【０００３】
発明の用途の別の例は、動物の首輪タイプの装置の用途であり、これは、衛星による位置決めを介して、又は陸上のアクセスネットワークの基地局に関する三角測量による位置決めを介して、装置の位置を突きとめることを可能にする。装置は、超狭帯域無線通信システム（アングロサクソンの文献では、”Ｕｌｔｒａ  Ｎａｒｒｏｗ  Ｂａｎｄ”又はＵＮＢ）を介して、装置の位置を伝達する。そこでは、端末とアクセスネットワークとの間で送信される電波信号の瞬時の周波数スペクトルは、１ｋＨｚ又は２ｋＨｚよりも小さい周波数幅を有する。そのような超狭帯域通信は、例えば、「低スループットネットワーク（ＬＴＮ）」規格及び欧州遠距離通信標準化機構（ＥＴＳＩ）のドラフト規格などの規格に従う。
【０００４】
装置は、電子回路を収容するケースを備える。電波の発信及び受信については、腕輪の中にアンテナを組み込むことが知られており、ここで腕輪は、アンテナと電子回路との間でガルバニック接続を有する。
【０００５】
特許文献１、特許文献２、特許文献３、特許文献４、特許文献５、特許文献６、特許文献７、特許文献８は、このタイプの電波遠距離通信装置の例を説明している。しかしながら、アンテナと電子回路との間のガルバニック接続の信頼性を確保することは困難である。一方で、腕輪の長さは、手首の様々なサイズに順応するために、調節可能であるか、又は伸縮自在でさえある。他方で、腕輪は、ケースに対して移動可能であり、且つアンテナと電子回路との間のガルバニック接続は、物理的に応力を受ける。動物用の首輪の事例も、類似の困難さを有する。
【０００６】
より信頼性のある、簡単なアンテナが望まれる。
【先行技術文献】
【特許文献】
【０００７】
【特許文献１】米国特許第４７５４２８５号
【特許文献２】米国特許第４９２２２６０号
【特許文献３】米国特許第４９７７６１４号
【特許文献４】米国特許第５１３４７２４号
【特許文献５】米国特許第５１７９７３３号
【特許文献６】米国特許第５１８９４３１号
【特許文献７】欧州特許第１４８９４７１号
【特許文献８】米国特許第６３５００５５号
【発明の概要】
【発明が解決しようとする課題】
【０００８】
本発明の目標は、先行技術の解決法の限界の全て又は一部を克服することである。
【課題を解決するための手段】
【０００９】
この目的のために、本発明は、電子回路と、アクセスネットワークとの無線通信を目的とした電波信号の発信及び／又は受信のためのアンテナと、装置の留め具として働く帯環とを備える、電波通信のための装置に関する。アンテナは、アンテナループを備える。アンテナループは、導電プレートと、電子回路を収容すると共に少なくとも１つの導電面を有するケースとを含む。アンテナループの導電プレートは、ケースの導電面に平行に、且つケースの導電面に向かい合って延在する。導電プレート及びケースの導電面は、ケースの導電面の一方の側で、一緒に電気的に接続され、且つ、導電面の他方の側で、電子回路に電気的に接続される。帯環は、アンテナのアンテナ接地部を形成する導電部分を備え、前記導電部分は、導電プレートに平行に、且つ導電プレートに向かい合って延在し、且つ、前記導電プレートから電気的に絶縁され、その結果として、前記導電部分は、前記導電プレートに容量的に結合される。帯環の導電部分と導電プレートとの間には、誘導性結合の効果も存在し得るが、しかし、通常は、容量性結合が支配的である。
【００１０】
帯環と電子回路との間に、ガルバニック接続は必要ではなく、したがって、相対運動によって引き起こされる、信頼性におけるいかなる減少も回避される。帯環の導電部分は、自身と導電プレートとの間の結合を介して、ループのアンテナ性能を改善するが、ここで該結合は、容量性であるのと同様、部分的に誘導性であり得る。帯環の導電部分は、アンテナ組立品に対して、接地平面効果を提供する。このことは、導電部分が完全に平坦でなく、少なくとも部分的に湾曲している場合でさえもあてはまり、且つ、その表面（特に、帯環を横断するその寸法）が限られている場合でさえもあてはまる。帯環は、完全に導電性であり、例えば、導電部分を統合する金属材料から成ることが可能であるか、又は、導電部分を、帯環の電気的に絶縁性の材料の上に取り付けることが可能である。
【００１１】
電子回路は、受信される電波信号及び／又は、アンテナによって発信されるべき電波信号の処理及び／又は生成のための無線モジュールと、無線モジュールとアンテナとの間のインピーダンス整合のためのモジュールとを備えることが可能である。インピーダンス整合モジュールは、無線モジュールのインピーダンスにアンテナのインピーダンスを適合させることを可能にするが、これは、無線モジュールとアンテナとの間のＲＦ電力の伝達、及びアンテナと無線モジュールとの間のＲＦ電力の伝達を最大化するためである。インピーダンス整合モジュールは、アンテナと無線モジュールとの間に直列に入る第１の容量性部品と、アンテナと無線モジュールの接地部との間にある第２の容量性部品とを備えることが可能である。
【００１２】
アンテナループの導電プレートは、ケースに、及び帯環の導電部分に、機械的に強固に接続することが可能であり、これによって、それらの間のいかなる相対的な運動も回避される。アンテナループの導電プレートは、電気的に絶縁性のスペーサ上に取り付けることが可能であるが、ここで該スペーサは、帯環の導電部分に強固に接続される。絶縁性のスペーサは、支持体の一部であり得、該支持体の上に、ケースが取り付けられる。代わりに、支持体は、帯環上に取り外し可能に取り付けられ、且つ、磁石を備えるが、ここで該磁石は、前記帯環の導電部分との磁気引力によって、前記帯環上に前記支持体を維持するように適合されている。
【００１３】
アンテナループのケースの導電面は、電子回路の接地部に電気的に接続することが可能であり、且つアンテナループの導電プレートは、ケースの一方の側で、電子回路の出力線及び／又は入力線に電気的に接続することが可能である。
【００１４】
帯環の導電部分は、帯環の長さの全部又は一部にわたって、アンテナループの導電プレート及びケースの導電面を越えて、延在することが可能である。
【００１５】
装置は、ケースの導電面の反対側の表面上にディスプレイを備えることが可能である。電子回路は、スマートウォッチの機能を有することができ、且つ帯環は、装置を人間の手首に取り付けるように適合された腕輪であり得る。
【００１６】
電子回路は、地理的位置付けの機能、及びアクセスネットワークへ地理的位置付けデータを発信する機能を有することができ、且つ帯環は、例えば、ペットの首、又は野生動物若しくは野鳥の首に装置を取り付けるように適合された首輪であり得る。
【００１７】
本発明の他の特徴及び利点は、情報提供を目的として、且つ、決して限定的ではないが、添付の図面を参照しながら、以下になされる説明から明らかになるであろう。
【図面の簡単な説明】
【００１８】
【図１】例として与えられた、本発明の実施形態による、人間の手首上のスマートウォッチの様式化された斜視図である。
【図２】図１のウォッチにおけるアンテナループの動作に対応する、基本的なアンテナループの斜視図である。
【図３】図１のウォッチの、より詳細な上面図及び斜視図を例示したものである。
【図４】図１のウォッチにおける電子回路のブロック図である。
【図５】電場の力線の向きを模式的に例示する、図１のウォッチのＹ−Ｚ平面に沿う断面である。
【図６】磁場の力線の向きを模式的に例示する、図１のウォッチのＸ−Ｙ平面に沿う断面である。
【図７】例として与えられた、Ｙ−Ｚ平面における図１から図６のウォッチのアンテナ構造の利得図である。
【図８】例として与えられた、Ｘ−Ｙ平面における図１から図６のウォッチのアンテナ構造の利得図である。
【図９】例として与えられた、Ｘ−Ｚ平面における図１から図６のウォッチのアンテナ構造の利得図である。
【図１０】図１のウォッチでの周波数調節に関する、アンテナループの導電性平面と帯環の導電部分との間の様々な間隔の影響を例示するグラフである。
【発明を実施するための形態】
【００１９】
図面の要素は、簡潔さ及び明瞭さの趣旨で例示されており、詳細の点では、必ずしも、縮尺通りではない、又は現実的ではない。１つの図面から別の図面にわたっての同一の参照符号は、同一の要素又は類似の要素を指す。
【００２０】
図１は、例として与えられた、本発明の実施形態による、人間の手首１０２上のスマートウォッチ１００を模式的に示す。ウォッチ１００は、アクセスネットワークとの無線通信を目的とした無線信号の発信及び／又は受信のためのアンテナと、手首１０２に対して装置の留め具として働く腕輪の形をした帯環１０４とを備える。アンテナは、アンテナループとアンテナ接地部とを備える。ここで、アンテナループの動作は、基本的なアンテナループ２００（図２）によって例示され、アンテナ接地部は、反射体を構成する。アンテナループは、導電プレート１０６と、電子回路を収容すると共に少なくとも１つの導電面を有するケース１０８とを含む。ここで該導電面は、ケース１０８の下面（図１では隠れている）であり、且つ、図２では、面２０２によって形取られている。導電プレート１０６は、ケース１０８の導電面２０２に平行に、且つ導電面２０２に向かい合って延在する。導電プレート１０６及びケースの導電面２０２は、１１０で示されるように、ケース１０８の一方の側で、ケースの中の電子回路の無線周波数（ＲＦ）線に電気的に接続されるが、これは、電子回路と電気信号を交換するためである。ケース１０８の他方の側では、導電プレート１０６及びケースの導電面２０２は、図２における２０４で示されるように、一緒に電気的に接続される。本発明の別の特定の実施形態において（そこでは、電子回路のＲＦ線はディファレンシャル方式である）、導電プレート１０６及びケースの導電面２０２は、ＲＦ線に対してディファレンシャル方式の接続を有する。
【００２１】
図３は、ウォッチ１００をより詳細に例示している。例えば、ケース１０８は、正方形の形状を有することが可能であり、一辺が３５ｍｍ、高さが７ｍｍである。ケース１０８の側面（及び一揃いの面でさえも）は、例えば金属材料から成るなど、導電性であることが可能であり、ここで該金属材料は、ＲＦ線とプレート１０６との間の接続のための開口部１１０を有する。面２０２と反対側の、ケース１０８の上面３００は、任意選択的に触れるディスプレイ（図示せず）を備えることが可能である。帯環１０４は、導電部分３０２を備える。ここで導電部分３０２は、腕輪を形成する帯環の部分３０４上に取り付けられたアンテナ接地平面を形成し、且つ帯環の部分３０４は、電気的に絶縁性の材料から成ることが可能である。本発明の別の特定の実施形態において、導電部分３０２は、腕輪の中に統合され、且つ腕輪は、導電性材料（例えば金属）から成ることが可能である。図３に例示されるように、帯環１０４は、ケース１０８のところで、いかなる妨害も有せず、且つ、導電プレート１０６の全体の長さ（図１の軸Ｚに沿う）にわたって延在する。アンテナ接地部を形成する導電部分３０２は、前記導電プレート１０６の全体の長さにわたって、前記導電プレート１０６に平行に延在し、且つ、前記導電プレート１０６から電気的に絶縁される。帯環１０４は、手首１０２の周りに帯環を取り付けるために、留め金（図示せず）を備えることが可能である。そうでなければ、帯環は伸縮自在となることが可能であり、帯環が手の上で滑るのを許すことになる。
【００２２】
電気的に絶縁性の材料（例えばプラスチック）からなるボックスは、ケース１０８の支持体として働き、これによって、ケースをアンテナループの導電プレート１０６及び帯環の導電部分３０２に機械的に強固に接続させ、それらの間の相対的運動を回避する。支持ボックスは、電気的に絶縁性の材料から成るスペーサ３０６を備える。このスペーサ３０６は、ループの導電プレート１０６と帯環の導電部分３０２を接続するが、これは、それらの間に設けられる間隔及び平行性を維持するためである。スペーサ３０６の厚さは、例えば、０．９ＧＨｚの搬送信号の周波数に対して、例えば、０．１ｍｍと１．０ｍｍ（及び一例では０．５ｍｍ）との間であることが可能である。ボックスはまた、ケース１０８の支持体として働く壁３０８及び３１０を備える。ボックスは、例示されるように、ケース１０８の２つの側面だけを覆うことが可能であるか、又は、正方形のケース１０８の４つの側面を覆うような方法で、２つの付加的な壁を備えることが可能である。ケース及びボックスは、例示されるような正方形以外の形状（例えば、円筒形の形状）を有することが可能である。ケースの面２０２とアンテナループの導電プレート１０６との間の間隔、及び壁３０８と壁３１０との間の間隔は、空気だけで満たすことが可能であるか、又は、例示された実施例における、４ｍｍの厚さを有する絶縁性の材料で満たすことが可能である。電子回路に対する電気的接続部は、図３に示されるように、縁部であり得るか、又は、図１及び図２に示されるように、導電プレート１０６の側面の中心であり得る。一方で電子回路に対する導電プレート１０６の電気的接続部、他方でケース１０８の面２０２に対する導電プレート１０６の電気的接続部は、図２及び図３に示されるように、手首１０２から横方向に一定の間隔で配置するか、又は手首から長手方向に一定の間隔で配置することが可能である。より一般的には、導電プレート１０６及びケースの導電面２０２は、第１の接続ゾーンにおいて電気的に接続され、且つ導電プレート１０６及びケースの導電面２０２は、第２の接続ゾーンにおいて電子回路に電気的に接続される。第１の接続ゾーン及び第２の接続ゾーンは、好ましい実施形態において、互いに離れており、例えば、図１の軸Ｘ及び軸Ｚのそれぞれに沿って測定された寸法の中で（平面Ｘ−Ｚは、前記導電面２０２に平行である）、前記ケースの導電面２０２の最も小さい寸法よりも大きい距離によって分離されるか、又は、前記ケースの導電面２０２の最も小さい寸法に等しい距離によって分離される。このことは、図２及び図３の実施例における事例の通りであるが、そこでは、第１の接続ゾーン及び第２の接続ゾーンが、図１の軸Ｚに沿って、前記ケースの反対側に配置されている。
【００２３】
地理的位置付け首輪の事例において、ウォッチ１００の構造は、首に適合した帯環１０４の長さを提供することによって修正される。ウォッチ１００の露出した面上には、ディスプレイのようなものは必要なく、且つケース１０８の内部の電子回路は、望ましい機能を確保するために修正される。
【００２４】
図４は、ケース１０８の中の電子回路４００の実施例を例示する。電子回路４００は、受信されるメッセージ又は送信されるべきメッセージを処理するプロセッサ４０２と、発信器及び／又は受信器４０４と、無線モジュールとアンテナ４０６のプレート１０６との間のインピーダンス整合のためのモジュールとを備える。ここで、該インピーダンス整合のためのモジュールは、無線モジュールとアンテナとの間のＲＦ電力の伝達、及びアンテナと無線モジュールとの間のＲＦ電力の伝達を最大化するために、アンテナのインピーダンスを無線モジュールのインピーダンスに適合させるためのものであり、ケース１０８の面２０２は、電子回路４００の接地部に接続される。インピーダンス整合モジュールは、アンテナと電子回路との間に直列に入る第１の容量性部品Ｃｓと、アンテナと電子回路の接地部との間にある第２の容量性部品Ｃｐとを備える。図３の実施例では、部品の容量は、Ｃｓ＝２．２ｐＦ及びＣｐ＝６ｐＦであり、これによって、アンテナが有するインピーダンスを５０Ωに、且つ、共鳴周波数を０．９ＧＨｚの搬送信号の周波数にもってくる。回路４００はまた、回路４０８を備え、ここで回路４０８は、第２の特定のアンテナ（図示せず）によって、ＧＰＳ衛星を介して位置決めすること、受信器４０４からＧＰＳ信号を受信すること、及び位置決めデータをプロセッサ４０２に伝達することを目的としている。発信器４０４は、地理的位置付けデータをアクセスネットワークに発信する。この実施例の寸法及び特徴によって得られる帯域幅は、戻り損失散乱パラメータでＳ11＜−１０ｄＢという判定基準を採用した場合、１２ＭＨｚである。
【００２５】
図５は、図１のＹ−Ｚ平面での、手首の横断断面における電場５００の力線を例示している。矢印は、電波信号の一サイクル中の電場の力線を示し、且つ、もちろんのことであるが、この矢印は、信号の各サイクルで反転する。アンテナループの導電プレート１０６は、帯環１０４の導電部分３０２に電荷を誘発し、該導電部分３０２は、アンテナ接地平面及び反射体として作用し、且つ巡回する電荷は、導電プレート１０６において及び帯環の導電部分３０２において、電流を作り出す。図６は、図１のＸ−Ｙ平面での、手首の長手方向断面における磁場６００の力線を例示する。そして磁場の力線は、導電プレート１０６及び帯環１０４の導電部分３０２における電流によって作り出される共に、該電流を維持する。
【００２６】
図７から図９は、それぞれ、手首１０２に対して横断方向の面における、手首に対して長手方向の面における、アンテナ構造の利得を例示し、そしてこれらの図は、上方から見たものである。アンテナ構造の発信の図は、全方位的である。提示された構成において、且つ人間の手首が存在する場合には、４５％の全効率が得られる。比較すると、手首が存在しない場合には、１００％に近い効率が得られる。
【００２７】
帯環１０４の導電部分３０２の長さは、図５に例示されるような、手首１０２の周りを約１２０°覆う約７０ｍｍの長さと、図７に例示されるような、手首１０２の周りを約２４０°覆う約１４０ｍｍの長さとの間では、アンテナの効率に対して限られた影響を有する。帯環１０４の導電部分３０２の長さは、周波数調節に対して重大な影響を有さない。
【００２８】
手首の皮膚に関する、帯環１０４の導電部分３０２の電気的接触又は電気的絶縁（導電性の腕輪又は絶縁性の腕輪３０４）、及び満たされたケース又は中空のケース１０８は、整合モジュールＣｓ、Ｃｐに対して重大な影響を有さない。
【００２９】
１ｍｍから１１ｍｍへの、ケース１０８の高さの増加は、帯域を増加させ、且つ、整合モジュールにおいてより少ない損失を可能にし、しかも、アンテナの効率を１ｄＢだけ増加させる。３ｍｍから４ｍｍへの、ケースの導電面２０２と導電プレート１０６との間の距離の増加は、帯域幅を増加させ、且つ、アンテナの効率を０．５ｄＢだけ増加させる。
【００３０】
図１０は、ループの導電プレート１０６と帯環の導電部分３０２との間の間隔の否定的な効果を例示している。ここで該間隔は、０．１ｍｍ、０．５ｍｍ、及び１．０ｍｍの間にあり、スペーサ３０６の厚さによって定義される。整合モジュールＣｓ、Ｃｐは、全ての場合において同一であり、且つアンテナの効率に対する影響は十分に限られており、結果として、スペーサ３０６の厚さの機械的公差を許容できるものにする。
【００３１】
ボックスは、帯環１０４上に取り外し可能に取り付けられ、且つ、前記帯環１０４上に前記ボックスを保持するために、保持手段が設けられる。例えば、保持手段は、磁石（図面には示されず）を備え、該磁石は、アンテナの性能に顕著な影響を及ぼすことなく、ループの導電プレート１０６の中央に付加することが可能である。この磁石は、アンテナ接地部から、及びアンテナからも絶縁されるが、これは、例えば、導電プレート１０６の溝に前記磁石を位置決めすることによって行われる。この磁石は、アンテナ接地部に対して、ケース１０８のボックスを維持することを可能にするが、これは、前記アンテナ接地部を形成する導電部分３０２に対する磁気引力による。特定の実施形態において、帯環１０４は、帯環１０４に対して前記ボックスを位置決めするための手段を備えることが可能である。該手段は、例えば、前記ボックス又は複数のスペーサの寸法に調節された枠のようなものであり、腕輪＋ウォッチの組立品の容易で正確な組立を可能にする。
【００３２】
より一般的には、上で考えられた履行様式及び実施形態は、非制限的な例として説明されており、且つ他の代替例が、それ故に可能である、ということに留意するべきである。例えば、電子回路の論理ブロック間の分離は、例証的なものであり、且つ機能の他の分離は、本発明を実現することの中で可能である。２つのブロックは、結合させること又は分離することが可能である。システムは、それぞれの発信器モジュール及び／又は受信器モジュールに関連付けられた異なる周波数で動作する、複数のアンテナを備えることが可能である。説明されたデバイスは、プロセッサによって、又はソフトウェアを用いてプログラム可能な他のユニットによって、少なくとも部分的に作製することが可能である。
【図１】
2019532565.tif 000003
【図２】
2019532565.tif 000004
【図３】
2019532565.tif 000005
【図４】
2019532565.tif 000006
【図５】
2019532565.tif 000007
【図６】
2019532565.tif 000008
【図７】
2019532565.tif 000009
【図８】
2019532565.tif 000010
【図９】
2019532565.tif 000011
【図１０】
2019532565.tif 000012
【国際調査報告】
2019532565.tif 000013
2019532565.tif 000014
2019532565.tif 000015
2019532565.tif 000016